【事件の表示】
　特許第３０５９５４８号「パチンコ機」の請求項１に係る特許に対する特許異議の申立てについて、次のとおり決定する。
【結　論】
　特許第３０５９５４８号の請求項１に係る特許を維持する。
【理　由】
１．本件発明
　特許第３０５９５４８号（平成３年１０月１４日出願、平成１２年４月２１日設定登録）の請求項１に係る発明は、
「【請求項１】　裏機構盤上方に設けられた球貯留タンクからのパチンコ球を分流壁によって前後に並行に整列させた緩やかな下り傾斜の平行路により流下させる誘導樋と、誘導樋に接続する流路変換部と、流路変換部に接続され、パチンコ球を調整路で導き所定数を排出する排出ユニットと、排出ユニットから排出されたパチンコ球を前面側の供給皿もしくは受け皿に案内する排出樋とを備えたパチンコ機において、基板を挟んで前後に並行なまま垂直方向へ蛇行し、左右にオフセットした状態で開口する下端部へつながるように前記流路変換部を形成するとともに、裏機構盤の前後方向に対して左右に樋壁によって隣接しながら前後に屈曲させた並行な流路により前記調整路を形成したことを特徴とするパチンコ機。」にあるものと認める。
　なお、請求項１には「基盤」と記載されているが、本件特許公報の図１１の図面符号５６が附されている部分は基盤というより基板と表現する方が適切であり、又本件特許公報の【００２７】欄及び【００２９】欄にも基板と説明されていることから、「基盤」は「基板」の誤記と認め、本件の請求項１に係る発明を上記のように認定した。
２．申立ての理由の概要
　申立人河井清悦は、甲第１〜１３号証を提出して、本件の請求項１に係る発明は、甲第１、２号証に記載された発明及び周知技術（甲第３〜１３号証）に基づいて、当業者が容易に発明をすることができたものであるから、本件発明の特許は、特許法第２９条第２項の規定に違反してされたものであり、取り消されるべきものである旨主張している。
　　　　　　　　　　　　　記
甲第１号証： 特開昭６０−２０７６８７号公報
甲第２号証： 特開平２−９８３８９号公報
甲第３号証： 特開平３−７３１８２号公報
甲第４号証： 特開昭６４−５５８２号公報
甲第５号証： 実願昭５１−５９２８号（実開昭５２−９８５８２号）のマイクロフィルム
甲第６号証： 特開平３−８５１９０号公報
甲第７号証： 特開昭５４−５４７４３号公報
甲第８号証： 実願昭５９−６４７６７号（実開昭６０−１７７８７８号）のマイクロフィルム
甲第９号証： 実願昭５３−１１５９８８号（実開昭５５−３２７５３号公報）のマイクロフィルム
甲第１０号証： 特開平１−２３６０８４号公報
甲第１１号証： 特開平２−２５２４７９号公報
甲第１２号証： 特開昭６２−１８１０７８号公報                 
甲第１３号証： 特開昭６３−７９６８６号公報                        
３．各甲号証に記載された発明
　甲第１号証（ 特開昭６０−２０７６８７号公報）には、次のことが記載されている。
ア「前面板６には後述する賞球排出装置５０から排出された賞球が払い出される賞球払い出し口８が形成されるとともに、該賞球あるいは遊技客が購入した玉を発射位置（図示せず）に導く上皿７が固設されている。又、表枠２下部には前記上皿７が賞球で満杯になったときに過剰の賞球が排出される余剰球払い出し口１０が形成されるとともに該余剰球を貯溜する下皿９が固設される。」（第２頁左下欄第１行〜第８行）
イ「第２図はパチンコ遊技機の背面を示す図解図である。第３図は第２図の一部を拡大した図解図である。図において、機構板２０の遊技盤５側（図の奥側）には遊技盤５の入賞領域を覆うセーフ玉集合空間部２１が形成され、該空間部２１の下方に入賞したすべてのセーフ玉を一箇所に導くセーフ玉径路２２，２３が形成されている。」（第２頁左下欄第１２行〜第１８行）
ウ「一方、機構板２０の表側（図の手前側）にはパチンコ島の補給装置（図示せず）の補給パイプ２８から補給されるパチンコ玉を貯留する玉タンク２９及び該玉タンク２９の下方に位置して玉タンクからの玉を受けてパチンコ玉を二列に整列させる玉樋３０が設置される。更に二列に整列されたパチンコ玉はカーブ樋３１及び賞球供給樋３２を介して賞球ケース部５０ａに供給される。」（第２頁右下欄第１４行〜第３頁左上欄第１行）  
エ「賞球供給樋３２に連なる賞球排出装置５０の賞球ケース部５０ａには、１個のセーフ玉によって排出される賞球の所定個数が収容されるようになっているとともに前記垂直杆２７と連結するリンク機構５１ａ〜５１ｅによって回転せしめられるストッパー軸５２の上下に固定されるストッパー片５３ａ，５３ｂの作動で所定個数の賞球の給排出が行われるようになっている。なお、リンク機構５１ｄの一部に前記玉欠乏感知レバー４６の係合フック４７と係合するロックピン５４が設けられている。放出された賞球を導く賞球放出通路３４が賞球ケース部５０ａに連続して形成される。賞球放出通路３４の一方の側壁を構成し、且つ放出された賞球が直接衝突する通路壁３４ａにはステンレス板あるいはテフロン板等の被覆部材３５が被覆され、賞球の衝突圧を緩衡し、あるいは賞球が滑らかに落下するようになっている。賞球放出通路３４の下方には前記セーフ玉処理器２４に関連して揺動する作動レバー３６の玉受板部３７が臨設されている。作動レバー３６はセーフ玉処理器２４がセーフ玉を受て下傾動したときには拘束状態が解除されて揺動自在となっているため、賞球が玉受板部３７に乗った場合には下傾動して賞球を賞球通路３８へ導く。賞球通路３８に導かれた賞球は賞球開口３９を通って前記上皿７に排出され遊技客の持玉となる。また賞球通路３８が賞球で満杯になった場合には余剰の賞球が余剰球通路４０に自然流下して前記下皿９に排出され遊技客の持玉となる。」（第３頁左上欄第１５行〜左下欄第２行）
オ「第２図、第３図」　
甲第２号証（特開平２−９８３８９号公報）には、次のことが記載されている。  
カ「機構板１３は、景品球を貯留する球タンク１４、一定数の景品球を放出する景品球放出装置１５、前記球タンク１４の球を景品球放出装置１５に導く導出樋１６、前記景品球放出装置１５から放出された景品球を上皿２又は下皿３に導く景品球排出樋１７、前記入賞球受口器７，７．．．等に入賞したセーフ球を集めるセーフ球集合部１８等を設けたものである。」（第２頁左下欄第４行〜第１１行）
キ「景品球放出装置１５は、第４，５図に示すように６個と７個の景品球を収容すべく二本の縦筒を並設してなるケース体２４を枢軸２５により揺動自在に軸支すると共に、そのケース体２４の軸支部と反対側に突設したアーム２６にソレノイド２７のプランジャ２８を連結し、ケース体２４の開口上面を前記導出樋１６の流出口に対向させると共に、ケース体２４の流出下面に球止片２９を臨ませてなる。従って、導出樋１６の景品球はケース体２４に入って球止片２９により止められているが、ソレノイド２７の駆動によりプランジャ２８が上昇すると第５図鎖線のようにケース体２４が傾動し、ケース体２４の流出下面が球止片２９から外れて内部の景品球１３個が景品球排出樋１７に放出される。」（第２頁左下欄第１９行〜右下欄第１２行）
ク「第２図、第４図、第５図」
甲第３号証（特開平３一７３１８２号公報）には、次のことが記載されている。
ケ「裏機構盤８は裏面へ設けた球貯留タンク９から、４条の球供給路が内部に形成された導出樋１０および整流樋１１を介して、第１賞球排出装置１２ａ及び第２賞球排出装置１２ｂへ賞球用の球を供給するとともに、遊技盤７の入賞具へ入賞した入賞球が入賞球流下制御ユニット１３へ供給されることによって、第１または第２賞球排出装置１２ａ，１２ｂから特定数の賞球が排出されるような構成のものとしてある。」（第２頁右上欄第１４行〜左下欄第２行）
コ「球貯留タンク９から供給された球を整流樋１１へ導出する導出樋１０の外観は、第１３図から第２０図に示ごとく、適宜間隔を隔てて前後に配した両側の第１主区画壁３４、第２主区画壁３５および両主区画壁３４，３５の中間へ配した第３主区画壁３６とにより、左右方向に長い２つのブロックに区画せしめるとともに、第１主区画壁３４と第３主区画壁３６との間に主区画壁よりも高さの低い第１副区画壁３７を、また第３主区画壁３６と第２主区画壁３５との間に主区画壁よりも高さの低い第２副区画壁３８を各々立設することによって、各区画壁間に４条の球流路が形成されるようにしてある。」（第３頁右下欄第１３行〜第４頁左上欄第５行）
サ「整流樋１１は第２１図および第２２図に示すごとき外形のものとしてあり、球の直径の約２倍以上の高さを有し、下流側に向って高さが低くなるように成形した第１〜４球入口６０〜６３を横向きに開口せしめ、この球入口から横Ｕ字状に屈曲し、さらにその下流側部分を略階段状に屈曲してなる第１〜４球流路６４〜６７を前後方向に並設したものである。」（第６頁右下欄第１８行〜第７頁左上欄第５行）
シ「第１賞球排出装置１２ａと第２賞球排出装置１２ｂは一体的に組み付けられており、第２３〜２５図に示すように、上端の入口から下向きにほぼ垂直に延出する第１球待機空隙部８６、第２球待機空隙部８７、第３球待機空隙部８８、第４球待機空隙部８９の４本の球待機空隙部を有し、第１〜４球待機空隙部の上部入口がそれぞれ整流樋の第１〜４球流路の下部出口と連通するように、裏機構盤の適所へ前述の止着具３０・・・によって着脱自在に止着してある。」（第８頁右上欄第１８行〜左下欄第７行）
ス「第１図乃至第４図、第１３図乃至第１５図、２１図、２２図」
甲第４号証（特開昭６４−５５８２号公報）には、次のことが記載されている。  
セ「板状部２２ａの裏面上方には景品球タンク２５が配設される。景品球タンク２５の下方には３条の球流路２６ａ〜２６ｃを有する樋レール２６が形成され、その球流路２６ａ〜２６ｃと連通状に第１の景品球払出装置２７及び第２の景品球払出装置２８が配設される。」（第２頁右下欄第１８行〜第３頁左上欄第３行）
ソ「第２図乃至第４図」
甲第５号証（実願昭５１−５９２８号（実開昭５２−９８５８２号）のマイクロフィルム）には、次のことが記載されている。  
タ「このように構成された景品球ケースＡ背面に収容室２の上端流入部から各溝４ａ，４ｂ，４ｃへ連続的に景品球を流入させる３列の溝１２ａ，１２ｂ，１２ｃに形成した補給樋１２を接続し、また下端流出部に連なり設けた受樋１３へ球受皿（図示せず）に連なる周知の鈴筒１４を接続して景品球を遊技者の手許に送り出すものである。」（第４頁第１６行〜第５頁第２行）
チ「第１図」
甲第６号証（特開平３−８５１９０号公報）には、次のことが記載されている。  
ツ「本発明はパチンコ機の景品球放出ユニットに係り、入賞球の発生により上下方向に移動する作動杆を連結した上下動板の上動と共に一定数の景品球放出する景品球放出機構をユニットケースの内部でユニット化し、該ユニットケースをパチンコ機裏面に取付ける構成にしたものである。」（第１頁右欄第７行〜第１２行）
テ「しかしながらこの場合移動しない上方装置板の誘導樋または該樋に連結した樋体と、移動を可能にした下方装置板の景品球放出機構との連結及び連結解放を具体的にどうするかに問題点がある。本発明は前記の誘導樋又は該樋下流端の樋体形の案内板と連結したり連結を外したりする可動連結片の取付けを、景品球放出機構のケースに求めることを問題点解決の課題の糸口とし、この課題を解決することを本発明の目的とするものであるが、装置板が上方と下方とに分離されなくても、本発明は後に述べる理由により有効になる。」（第２頁右上欄第７行〜左下欄第３行）
ト「添付図面は本発明の実施例を示し、第１図はパチンコ機裏面全体の裏面図、第２図は景品球放出ユニットの取付前のパチンコ裏面の一部の斜視図、第３図は同取付け状態のパチンコ機機裏全体の斜視図、第４図は案内板１０とユニットケース２１の一部の一部切欠斜視図、第５図は案内板１０の一部を下方から見た斜視図、第６、７図は案内板１０の下面図、第８図は本発明のユニットの一部切欠斜視図である。」（第２頁右下欄第１０行〜第３頁左上欄第３行）
ナ「上方装置板４は前記のように転球板１の裏面に固定するもので、球タンク７及び球誘導樋８を取付け、球誘導樋８の下流端に案内板１０を垂直状に固定する。該案内板１０は本発明の上流の樋材の一例をなすもので、上方側部に球誘導樋８の誘導溝９に連通する入口孔１１を設け、下端に出口孔１２を設け、該下端の左右両側にガイド１３、１４を対立させて設けると共に、それらのガイド１３、１４に左右両側を嵌めて前後方向への移動を可能にした玉切板１５を設け、その玉切板１５に後方への押出ばね１７を掛け、玉切板１５を押出ばね１７の弾力に抗して前方に押込むと案内板１０の出口孔１２に整合する玉切溝１６を玉切板１５に設け、玉切板１５の上側に側方を向いたばね性のＣ形断面の第１係止片１８を設け、玉切板１５の上側に後方を向いたばね性のＣ形断面の第２係止片１９を設ける。２１は本発明の景品球放出ユニット２０のユニットケースであって、適当な位置に裏面から表面（転球板１の裏面）に通る筒形取付孔２２を設け、ケース２１の上面に上流の樋材の一例をなす案内板１０の出口孔１２に整合する玉入口２３を形成した景品球通路２４を設ける。その通路２４には一側壁２５の一部に、ローラ軸２６にローラ２７を嵌めて、球の直径に合致するピッチの隙間２８をローラ２７の間に設けてなる。ケース２１の上側に、案内板１０の第１係止片１８を弾拡して嵌まる円形材３０を設けた第１可動連結片２９と、案内板１０の第２係止片１９を弾拡して嵌まる円形材３２を設けた第２可動連結片３１とを、第１可動連結片２９は側方に、第２可動連結片３１は後方に夫々がほぼ水平に倒れるように軸支してなり、殊に第２可動連結片３１は円形材３２を第２係止片１９に嵌込む連結のとき、玉切板１５を該第２可動連結片３１の押圧面３３により押出ばね１７の弾力に逆らって押込み、出口孔１２、玉切溝１６及び玉入口２３を合致させて球誘導樋８の誘導溝９の球をケース２１内の景品球通路２４に流れ込ませる。景品球通路２４の下端にケース２１に設けた軸３４により軸支されると共に同じようにケースに設けた軸３５により支持したＬ形レバー３８のピン３９を円弧形の背３７に接触する可動ストツパ部材３６を設け、該通路２４の球が流下できないように閉鎖する。」（第３頁左上欄第１２行〜右下欄第１１行）
ニ「ケース２１の内部には発生したセーフ球により上動移動する作動杆７３の連結孔５８を設けると共に上下方向の長孔５１に、ケース２１に設けた固定案内ピン５９を遊嵌した上下動板５０を設け、上下動板５０の左右方向の長孔５４に、前記したＬ形レバー３８のピン４０を嵌め、セーフ球の発生毎に作動杆７３と上下動板５０の上昇、Ｌ形レバー３８の反時計方向への揺動を生じ、ピン３９が反時計方向に移動して円弧形の背３７から外れ、可動ストツパ部材３６が景品球通路２４の球の重みにより押されて通路２４を解放し、該通路２４の景品球を景品球放出溝７１に放流する。」（第４頁左上欄第１１行〜右上欄第７行）
ヌ「本発明の景品球放出ユニット２０は上方に上流樋体の一例をなす案内板１０を取付け、下方に景品球放出溝７１、球抜き溝７２を取付けたパチンコ機転球板の裏面の第２図の取付け空所の嵌込筒２２ａにユニットケース２１の筒形取付孔２２を嵌め、案内板１０の出口孔１２とユニットケース２１の球入口２３との整合及びユニットケース２１の景品球通路２４と景品球放出溝７１及び球抜き溝７２との整合を確認し、筒形取付孔２２の夫々にビス又はボルトの類７６を挿入して取付けを行い、その取付後に第２可動連結片３１の円形材３２を案内板１０の第２係止片１９に、第１可動連結片２９の円形材３０を案内板１０の第１係止片１８に夫々嵌込んでユニットケース２１を案内板１０に連結し、さらにユニットケース２１より下方に設置してある入賞球感知装置とユニットケース２１の内部の上下動板５０に設けた連結孔５８に作動村７３を差込む。本発明は上方装置板と下方装置板とに分離して成形し、球タンク、誘導樋、案内板１０等の上流樋体を上方装置板４に設け、景品球放出溝、球抜き溝、景品球放出機構等を下方装置板５に設置する構成に尤も適するが、装置板を分離成形しないときでも景品機構放出機構の上流に上流樋体を設置するのは普通であるから、景品球放出ユニット２０をユニットケース２１の内部に構成して、そのケースの取付けを行うことができ、取り扱いが容易であると共に部品紛失がないようにしてあるから、取付けその他について極く有利な効果を持つ。」（第４頁左下欄第２行〜第５頁左上欄第１行）
ネ「第２図、第３図、第５図乃至第８図」
甲第７号証（特開昭５４−５４７４３号公報）には、次のことが記載されている。  
ノ「上セット（２）側において、左上部には賞球用の球タンク（図示しない）の賞球を流下するタンクレール（１８）がビス着されている。これに対して右側部には、上セット（３）の蓋板部に対して仕切板（１９Ａ）及びカバー樋板（１９Ｂ）をビス着したもとで、ほぼＵの字状の、賞球用の第１、第２のカーブレール樋（１９）（１９）が前、後２列に区画形成されてその各入口が球タンクレール（１８）の各給出路（１８ａ）（１８ｂ）の出口と連通されている。」（第２頁左下欄第８行〜第１６行）
ハ「（３１）は前述の枠体（１）’の第２窓（１０）に対する扉兼用として開閉並びに着脱可能に装着されたメインセットである。」（第３頁左上欄第９行〜第１１行）
ヒ「メインセット（３１）は、セーフ球に対する賞球を給出するための賞球給出装置の基体をなすもので、該装置を構成すべく、上端部には後述の賞球ケース用の設置凹部（３９）が開口され、左下部にはセーフ球用の整理室（４０）が区画形成されており、そして中央部には賞球樋（４６）（４６）が、また右側部には球抜き樋（５２）（５２）が夫々形成されている。」（第３頁右上欄第１３行〜左下欄第３行）
フ「メインセット（３１）の開放時に、前記カーブレール樋（１９）（１９）内の球（Ｂ）のこぼれ落ち防止用の球流出防止機構（８８）について説明する。すなわち、第１図のように前記上セット（２）前面の右下部に装着された球止め部材（８９）は、正面ほぼＺ字状に形成されており、その右端の上下面に突設された各軸部（９０）（９０）を上セット（２）前面に突設された上下一対の軸受（９１）（９１）間に挿入したもとで、水平片持ち状態で旋回動可能に枢着されている。この球止め部材（８９）は、第７図のようにその後側面中央部に突設された円形の嵌着部（９２）と、該嵌着部（９２）に対向する上セット（２）前面に突設された嵌着部（９３）との間に介在されたコイル状の押圧ばね（９４）の附勢力にて、常には図示Ｐ矢印方向へ押圧附勢されている。そして、この球止め部材（８９）は、第９図のように、その左端部が水平板状に形成され、この平板部（９６）の先端部が、前記上セット（２）のカーブレール樋（１９）（１９）の各出口（１９ａ）（１９ｂ）に対して旋回動に伴ない出没開閉可能に指向されている。そして、この平板部（９６）の先端部に、平面形状が凹円弧状の第１、第２連通溝（９６）（９７）がカーブレール樋（１９）（１９）に対応して前、後２列に形成されるとともに、第１、第２、の連通溝（９６）（９７）との境界部に先尖り状の第２球止め片（９９）が、さらに第２連通溝（９７）の後側部に同様な第１球止め片（９８）が夫々形成されている。（１００）は前記平板部（９６）の後側面に逆Ｌ字状に突設された係止部で、その垂下部に、係止片（１０１）が形成されてメインセット（３１）における前記賞球ケース（５３）の後セット板（５３Ａ）上縁に係合される。これにより、球止め部材（８９）はメインセット（３１）の閉鎖時に対する作動前の常態としてその第１、第２連通溝（９６）（９７）がカーブレール樋（１９）（１９）の各出口（１９ａ）（１９ｂ）に整合連通されて樋内を開口し、各カーブレール樋（１９）（１９）内の球（Ｂ）を前記賞球ケース（５３）の各収納樋（５４）（５５）内に流出し得る開放状態とされている。」（第５頁右上欄第４行〜右下欄第６行）
ヘ「メインセット（３１）の開閉にあたってこれに連通される球流出防止機構（８８）について説明する。すなわちメインセット（３１）の開放時には、第９図（ａ）のように球止め部材（８９）は、押圧ばね（９４）の附勢力にてただちに図示Ｐ矢印方向へ旋回動され、同部材（８９）のストッパー面（１０２）がカバー樋板（１９Ｂ）の内壁面に当接してその位置で保持される。この部材（８９）の回動に伴い第１、第２の球止め片（９８）（９９）が前記各カーブレール樋（１９）（１９）の出口（１９ａ）（１９ｂ）内の中央部に突入移動され、各出口（１９ａ）（１９ｂ）内を閉鎖して樋内の球（Ｂ）の流出、さらにはこぼれ落ちを良好に阻止する。次に、メインセット（３１）の閉鎖時には、該メインセット（３１）の閉鎖過程において、閉鎖直前位置で、第９図（ｂ）のように賞球ケース（５３）の後セット板（５３Ａ）上端部が球止め部材（８９）の係止片（１０１）に当接係合する。そしてしかる後球止め部材（８９）はメインセット（３１）の閉鎖に伴い押圧ばね（９４）の附勢力に抗しながら図示Ｑ矢印方向へ旋回動される。そして、メインセット（３１）の定位置への閉鎖セット完了後には、球止め部材（８９）は元状態に復帰されこれに伴い、各球止め片（９８）（９９）がカーブレール樋（１９）（１９）の各出口（１９ａ）（１９ｂ）外に退動される一方、各連通溝（９６）（９７）が出口（１９ａ）（１９ｂ）内の球（Ｂ）の流出開口面と整合連通されて出口（１９ａ）（１９ｂ）を開口し、各収納樋（５４）（５５）側と連通状態とする。これにより樋内の球が各収納樋（５４）（５５）内に流出し得る状態とされるものである。このように、本例での球流出防止機構（８８）は、メインセット（３１）の開閉に伴い連動される球止め部材（８９）の開閉動作によってカーブレール樋（１９）（１９）内の球（Ｂ）の流出と遮断とをなし得るものである。」（第７頁右上欄第１行〜左下欄第１５行）
ホ「従って、本発明のパチンコ機において、開閉部材の閉鎖時には、賞球供給部材の賞球出口に対し、球止め部材を開放状態で保持することにより、前記出口と開閉部材の賞球用入口と連通接続することができ、またケースを開放したときには、前記球止め部材にて前記出口を遮断閉鎖することができるので、賞球供給源側の賞球用樋内に賞球が有る時に、前記開閉部材を開放しても、賞球供給部材内の賞球が不用意にこぼれ落ちることがない。」（第８頁右上欄第１行〜第９行）
マ「第１図、第２図、第４図、第５図、第７図、第９図」
甲第８号証（実願昭５９−６４７６７号（実開昭６０−１７７８７８号）のマイクロフィルム）には、次のことが記載されている。
ミ「導出樋２１の各列に対応する複数の通路２２．．．を有する賞球誘導路２３、」（第５頁第６行〜第７行）
ム「第１図、第３図、第４図」
甲第９号証（実願昭５３−１１５９８８号（実開昭５５−３２７５３号公報）のマイクロフィルム）には、次のことが記載されている。  
メ「カーブレール５はその下段部８の上面全体を解放面として形成し、この上面解放面全体に被覆する蓋板９を取外し自在に設置せしめ、カーブレール５の前記償球ケース６に連通する吐出口１０を備えた側の先端に一体に延長突設する固定片部１１に弾性力を備えた金属材より成る係止片１２を設置して蓋板９を係止固定自在せしめると共にカーブレール５の外側に面する側壁１３の上縁の任意個所に突起１４を一体に突設し、蓋板９の縁部に前記突起１４と嵌合する切欠１５を穿設せしめると共に摘片１６を外側に面する縁部に一体的に且水平に突設せしめることにより構成する。尚、蓋板９の一端側裏面の吐出口１０に対応する個所にはパチンコ玉を吐出口１０へ落下案内するための三角状の突塊１７，１７が一体に設けられる。」（第２頁第９行〜第３頁第５行）
モ「第１図乃至第３図」
甲第１０号証（特開平１−２３６０８４号公報）には、次のことが記載されている。  
ヤ「機構板２０の後面側には、第６図に示されるように賞品玉排出関連機構を構成する賞品玉を貯溜する賞品玉タンク３１、該賞品玉タンク３１から賞品玉を導く賞品玉樋３２、該賞品玉樋３２に連接して所定数の賞品玉を排出せしめるように制御する賞品玉ケース３３、該賞品玉ケース３３から排出された賞品玉をパチンコ機前面に設けられる図示しない賞品玉上皿及び下皿に導く賞品玉排出通路３４などが配設されている。」（第３頁右上欄第９行〜第１７行）
ユ「第６図」
甲第１１号証（特開平２−２５２４７９号公報）には、次のことが記載されている。  
ヨ「目的とするところは、景品玉の払出をスムーズに行なえるとともに、得点に対応する数の景品玉が払出されたことを遊技者に確実に報知することができる弾球遊技機を提供することにある。」（第２頁左上欄第１４行〜第１８行）
ラ「景品玉払出装置９０には、第ＩＡ図に示すように、前記機構板５０に取り付ける取付板９１と、駆動モータとしてのステッピングモータ１０３を取り付けるモー夕取付板９７によって構成される。取付板９１には、前記垂直樋６５に連続する供給通路９２が形成され、該供給通路９２の下流側に景品玉の方向を後述する玉載置部９９に向けて変化させる流路変更部９３（第２図参照）が形成されている。流路変更部９３のさらに下方には、供給通路９２の最先端のパチンコ玉の下部１点を支持する玉支持部１０１ｂが形成され、該玉支持部１０１ｂの下方に、スプロケット１０５が収納されるスプロケット収納部９４が形成されている。また、スプロケット収納部９４の一側には、景品玉の排出通路９５も形成されている。排出通路９５の上流端には、スプロケット１０５によって押出されて払出される景品玉を検出する払出玉検出器９６（投受光方式）が設けられている。」（第６頁左下欄第１９行〜右下欄第１６行）
リ「第ＩＡ図、第２図」
甲第１２号証（特開昭６２−１８１０７８号公報）には、次のことが記載されている。
ル「球貸機の機能と賞球排出の機能を兼備するパチンコ球排出装置２８は、上部に配置した貯留タンク２９と、パチンコ球排出装置用収納部１０の中に入り込む収納本体３０を有している。この収納本体３０の内部には一端が貯留タンク２９の底部の傾斜側端部に接続された屈曲状の球導出樋３１を具備する。この球導出樋３１の下端部には支承部３２が軸によって枢着された回勤自在な揺動樋３３が配置されている。この揺動樋３３は、ソレノイド３４の励磁杆３５に連係し、このソレノイド３４の励磁で球流下端３６が下方に傾斜するもので、球導出樋３１側の端部には傾斜した際に、球導出樋３１よりパチンコ球が流下するのを防止するストッパー３７を有する。」（第３頁右上欄第６行〜第１９行）
レ「パチンコ球排出装置用収納部１０の上方には、補給樋６３から流下するパチンコ球をパチンコ球排出装置２８に供給・停止させるシャツタ装置を設ける。このシャツ夕装置は、補給樋６３から分岐した球補給路の下端出口、即ち第８図に示すように球通路検出用のパルス発生装置５６の孔５７から流出する球を貯留タンク２９に導く孔５８が設けられ、この孔５８は前後に移動自在で、且つ付勢部材としてのばね５９で常時前方に牽引されたシャッタ部材６０で塞ぐ構成である。なお、シャツ夕部材６０には孔６１が孔５７、５８と一致しない部分に設けられている。したがって、パチンコ球排出装置用収納部１０内にパチンコ球排出装置２８を装入しない状態においては、シャツ夕部材６０がばね５９の付勢により前進し、孔５７を塞いでいる。この状態でパチンコ球排出装置用収納部１０内にパチンコ球排出装置２８を差し込むと、収納本体３０の上後端或は貯留タンク２９の上後端がシャッタ部材６０の舌片状の受部６２を押圧し、シャッタ部材６０をばね５９の付勢に抗して後退させる。シャッタ部材６０が後退すると孔６１が孔５７，５８に一致するので補給樋６３から分岐したシュート６４，蛇腹管６５などの球補給路がパチンコ球排出装置２８側の球流路、或は貯留タンク２９に連通する。したがって、補給樋６３からシュート６４等を介して貯留タンク２９内に球が補給可能となる。」（第４頁右上欄第１２行〜左下欄第１９行）
ロ「収納本体３０をパチンコ球排出装置用収納部１０から引き出すと、コイン樋４９の出口がコイン排出樋４９１の入口から離脱するとともに、シャッタ部材６０がばね５９の付勢により戻り移動して孔５７，５８を塞ぎ、球供給路からの球を落下させない。したがって、パチンコ球排出装置２８の修理や交換の際に、収納本体３０をパチンコ球排出装置用収納部１０から簡単に取り外すことができ、このとき補給樋６３、シュート６４、蛇腹管６５等の球補給路に球が充満していても、これらの球が流出して散乱するおそれがない。」（第４頁右下欄第６行〜第１７行）
ワ「第６図、第７図、第８図」
甲第１３号証（特開昭６３−７９６８６号公報）には、次のことが記載されている。
ヰ「機構板２７の外側上部には景品玉タンク３０が配設される。景品玉タンク３０の下方には誘導樋３１が形成され、その流下端に景品球放出装置３２が配設される。」（第３頁右上欄第１０行〜第１３行）
ヱ「第４図及び第５図に示すように本発明によれば、前記機構板２７の入賞球落下空間内に特定球供給装置４４が配設される。特定球供給装置４４は、機構板２７に穿設した球入口４５と連通状に緩傾斜を有する通路部４６を備える。通路部４６は機構板２７に対して固定的に設けられる。前記球入口４５の前面に位置した機構板２７には、景品球ケース３４から放出される景品球の一部を特定球として通路部４６へ導入するための導入部４７が形成される。」（第４頁左上欄第７行〜第１５行）
ヲ「第２図、第４図、第６図」
４．対比・判断
　本件請求項１に係る発明と甲第１号証記載の発明とを対比する。
 甲第１号証の前記記載ウ、エ、オから、甲第１号証には、機構板２０上方に設けられた玉タンク２９からのパチンコ球を緩やかな下り傾斜の平行路により流下させる玉樋３０と、玉樋３０に接続するカーブ樋３１と、カーブ樋３１及び賞球供給樋３２に接続され、パチンコ球を賞球ケース部５０ａで導き所定数を排出する賞球排出装置５０と、賞球排出装置５０から排出されたパチンコ球を前面側の上皿７もしくは下皿９に案内する賞球放出通路３４とを備えたパチンコ機において、前後に平行なまま垂直方向へ蛇行し、左右にオフセットした状態で開口する下端部へつながるようにカーブ樋３１及び賞球供給樋３２を形成する発明が記載されているものと認められる。
　そして、甲第１号証の「機構板２０」、「玉タンク２９」、「玉樋３０」、「カーブ樋３１及び賞球供給樋３２」、「賞球ケース部５０ａ」、「上皿７」、「下血９」、「賞球放出通路３４」は、本件請求項１に係る発明の「裏機構盤」、「球貯留タンク」、「誘導樋」、「流路変換部」、「調整路」、「供給皿」、「受け皿」、「排出樋」にそれぞれ相当するから、
　両者は、「裏機構盤上方に設けられた球貯留タンクからのパチンコ球を緩やかな下り傾斜の平行路により流下させる誘導樋と、誘導樋に接続する流路変換部と、流路変換部に接続され、パチンコ球を調整路で導き所定数を排出する排出装置と、排出装置から排出されたパチンコ球を前面側の供給皿もしくは受け皿に案内する排出樋とを備えたパチンコ機において、前後に平行なまま垂直方向へ蛇行し、左右にオフセットした状態で開口する下端部へつながるように前記流路変換部を形成するパチンコ機」である点で一致し、
（ａ）本件請求項１に係る発明が、パチンコ玉を誘導樋で整列させるに当たり「分流壁によって前後に並行に整列させ」ているのに対して甲第一号証には分流壁について記載がない点
（ｂ）本件請求項１に係る発明のパチンコ球を所定数排出する排出部が、「ユニット」であるのに対して甲第１号証記載の「賞球排出装置５０」がユニットであるかどうか不明である点
（ｃ）本件請求項１に係る発明の流路変換部が「基板を挟んで前後に並行」であるのに対して甲第一号証記載のものには基板を挟んでいる点について記載がない点
（ｄ）本件請求項１に係る発明の調整路を「裏機構盤の前後方向に対して左右に樋壁によって隣接しながら前後に屈曲させた並行な流路により形成し」ているのに対して、甲第１号証記載のものはこの構成を有しない点で相違する。
　相違点（ａ）に対して
　甲第３号証の前記記載コ、甲第４号証の前記記載セ、ソの第４図、甲第５号証の前記記載タ、チに開示されているようにパチンコ玉を誘導樋で整列させるに当たり分流壁によって前後に並行に整列させる点は当業者にとって周知技術であり、甲第１号証記載の発明の玉樋にパチンコ玉を前後に並行に整列させるにあたり分流壁をもうけることは当業者にとって単なる設計事項にすぎない。
　相違点（ｂ）に対して
　甲第３号証の前記記載シ、甲第６号証の前記記載ツ、甲第７号証の前記記載ハに開示されているように、排出装置をユニットとすることは当業者にとって周知技術であり、甲第１号証記載の排出装置をユニットとした点は当業者にとって単なる設計事項にすぎない。
　相違点（ｃ）に対して
　上記相違点（ｃ）を検討するために、甲第３号証、甲第６号証、甲第８号証を検討する。甲第３号証の前記記載サ及びスの第２１〜２２図より、本件請求項１に係る発明の流路変換部に相当する甲第３号証記載の整流樋１１に第１〜４玉流路６４〜６７が前後方向に平設されていること、甲第６号証の前記記載ナの「案内板１０は本発明の上流の樋材の一例をなすもので、上方側部に球誘導樋８の誘導溝９に連通する入口孔１１を設け、下端に出口孔１２を設け」、ネの第７図，第８図より、本件請求項１に係る発明の流路変換部に相当する甲第６号証記載の案内板１０に流路が前後方向に平設されていること、甲第８号証の前記記載ミ、ムより、本件請求項１に係る発明の流路変換部に相当する甲第８号証記載の賞球誘導路２３に通路が前後方向に平設されていることが周知であることは認められるが、これらの玉流路等を精査しても、甲３、甲６、甲８号証に記載された玉流路等の仕切は樋、案内板、賞球誘導路と一体に成形されたものであり、２つの流路構成部材を基板を挟んで組み付けたものではなく、基板を挟んで流路を形成したとは言えないものである。したがって、甲第１号証のカーブ樋３１が基板を挟んで形成されていると類推することはできない。
　相違点（ｄ）に対して
　上記相違点（ｄ）を検討するために、甲第２号証を検討する。甲第２号証の前記記載カによると、甲第２号証記載のパチンコ機では、球は、球タンク１４、導出樋１６、景品球放出装置１５、景品球排出樋１７の順に導かれているから、「景品球放出装置１５」及び「ケース体２４」が、本件請求項１に係る発明の「排出ユニット」及び「調整路」に相当するが、ケース体２４は、真っ直ぐであり、「前後に屈曲させた」構成ではない。しかも、ケース体２４は二本の縦筒を並設してなるもので、樋壁によって流路が隣接しているものでもない。
　甲第１１号証の前記記載ラの「該供給通路９２の下流側に景品玉の方向を後述する玉載置部９９に向けて変化させる流路変更部９３（第２図参照）が形成されている。」、リより、「供給通路９２」、「流路変更部９３」が、本件請求項１に係る発明の「調整路」、「調整路の下流部分」にそれぞれ相当する。甲第１１号証記載の流路変更部９３は玉載置部９９に向けて前後に曲げられているが、供給通路は１列であり、しかもその上流部は左右に屈曲しており、甲第１１号証記載の供給通路は裏機構盤の前後方向に対して左右に樋壁によって隣接しながら前後に屈曲させた並行な流路とはいえないものである。
　甲第１２号証の前記記載ル、ワの第６図には、球貸機の機能と賞球排出の機能を兼備するパチンコ球排出装置が開示されているが、該パチンコ球排出装置はパチンコ機の裏機構盤に設けられたものではなくパチンコ機台にパチンコ機とパチンコ機の間に設けられたものであり、パチンコ機台に設けられるパチンコ球排出装置の流路を、設置条件の全く異なる、パチンコ機の裏機構盤に配置されるパチンコ球排出装置の流路に適用することは容易ではない。
　甲第１３号証の前記記載ヰ、ヲの第４図を検討するに、球入口４５の前面に位置した機構板２７には、景品球ケース３４から放出される景品球の一部を特定球として通路部４６へ導入するための導入部４７が機構板の前後方向に形成されているが、該導入部４７は屈曲されてはおらず、本件請求項１に係る発明の調整路に相当する景品球ケースの下流に設けられたものであり、調整路には相当しないものであり、裏機構盤の前後方向に対して左右に樋壁によって隣接しながら前後に屈曲させた並行な流路でもない。
　したがって、甲第１１〜１３号証によっては、並行な流路を前後に屈曲させた構成が周知であるとは言えず、甲第２号証のケース体２４に対して前後に屈曲させた構成を採用することが、当業者の通常の設計変更で行うことができたものであるはいえない。
　上記のとおり、相違点（ｃ）、（ｄ）に係る構成が甲第１〜１３号証に記載されておらず、甲第１号証に記載された発明に第２号証に記載の発明及び従来から周知の技術を組み合わせても本件請求項１に係る発明の構成にはなりえず、本件請求項１に係る発明は、上記構成により明細書記載の「排出ユニットは調整路の屈曲や排出機構の配設に伴う排出ユニット側方への迫り出しがなくなるため、裏機構盤上での専有面積を最小限に狭めることができ、面積の限られたパチンコ機裏面側（裏機構盤）を有効に使用することができる。また、このため裏機構盤に各種部品を余裕をもって配置することが出来、保守点検時の作業性も向上する。」という明細書記載の効果を奏するものと認められるから、本件請求項１に係る発明は、その出願前に頒布された甲第１、２号証記載の発明及び従来から周知の技術に基づいて当業者が容易に発明をすることができたものではない。
５．むすび
　以上のとおりであるから、特許異議の申立ての理由によっては本件請求項１に係る発明についての特許を取り消すことはできない。
　また、他に本件請求項１に係る発明についての特許を取り消すべき理由を発見しない。
  したがって、本件請求項１に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、上記のとおり決定する。
【異議決定日】
平成１３年８月２９日（２００１．８．２９）